(57)【要約】【課題】ネット部材の周辺部を、十分な張力と強度をもって、できるだけ均一かつ容易に、椅子の座フレーム等に止着しうるようにする。【解決手段】周縁部に軟質材料からなる挟入片１６を止着したネット部材２を、硬質材料からなる座フレーム１の上面及び外側面を覆うように被せ、ネット部材２の周縁部を内向きに折り返すとともに、挾入片１６を反転させて、座フレーム１の外周部の下面に設けた周方向の保持溝１０内へ嵌入し、かつ座フレーム１の下側に締付枠３を締め付けることにより、この締付枠３をもって、挟入片１６を保持溝１０内へ押し入れることにより、ネット部材２を、座フレーム１に張力を付与して取り付ける。【選択図】　　　　図９
2004135818.tif 000002
【特許請求の範囲】
【請求項１】
周縁部に軟質材料からなる挟入片を止着したネット部材を、硬質材料からなる座フレームの上面及び外側面を覆うように被せ、前記ネット部材の周縁部を内向きに折り返すとともに、前記挾入片を反転させて、座フレームの外周部の下面に設けた周方向の保持溝内へ嵌入し、かつ前記座フレームの下側に締付枠を締め付けることにより、この締付枠をもって、前記挟入片を保持溝内へ押し入れることにより、前記ネット部材を、座フレームに張力を付与して取り付けることを特徴とする椅子の座等へのネット部材の張設方法。
【請求項２】
座フレームに装着したときの形状として製造した挾入片を、内外方向に反転させた状態でネット部材の周縁部に止着し、座フレームへの装着時に、前記挾入片を元の姿勢に戻して、保持溝内へ嵌入することを特徴とする請求項１記載の椅子の座等へのネット部材の張設方法。
【請求項３】
ネット部材の自然状態の外周縁を、挾入片の止着部より小さく形成しておき、ネット部材を外方に引き伸ばした状態で、その外周縁を挾入片の止着部に止着することを特徴とする請求項１または２記載の椅子の座等へのネット部材の張設方法。
【請求項４】
挟入片の装着時の下端に、締付枠による押圧力を受支するとともに、抜き外しのために機能しうる水平方向の係止片を設けたことを特徴とする請求項１〜３のいずれかに記載の椅子の座等へのネット部材の張設方法。
【請求項５】
保持溝の外側方における座フレームの外周部下面と、締付枠の上面における対応個所とのいずれか一方に、周方向の挟支溝を、同じく他方に起立片を設け、締付枠を座フレームの下面に取付けた際、前記起立片が、ネット部材の周辺部を前記挟支溝内へ押入れることにより、ネット部材に、さらなる張力を付与することを特徴とする請求項１〜４のいずれかに記載の椅子の座等へのネット部材の張設方法。
【発明の詳細な説明】
【０００１】
【発明の属する技術分野】
本発明は、椅子の座や背凭れ等へのネット部材の張設方法に関する。
【０００２】
【従来の技術】
椅子の座フレームに、弾性変形可能な高張力プラスチック等のネット部材（多孔板を含む）を張設する従来の方法としては、ネット部材の周縁部を、座フレームの上面および外側面に重合した後、座フレームの下面に沿って内方へ折り曲げ、この折り曲げ部を、ボルト、コーキング材、係止部材等をもって、座フレームに止着するのが一般的である（例えば、特許文献１及び２参照）。
【０００３】
【特許文献１】
特開２００２−１６５６７２号公報（第１〜３頁、第４図）。
【特許文献２】
特開平１１−２４４１０３号公報（第１〜２頁、第１図）。
【０００４】
【発明が解決しようとする課題】
しかし、ネット部材の周辺部を、一定の張力を付与したまま、前述した従来の要領で座フレームに止着することは容易ではなく、多大の手間と時間を要し、かつネット部材の張力が不均一となって、ネット部材の取付部に、しわが寄ったり、撓みが生じたりし、また締付ボルト等のまわりにおいて、ネット部材に過大な張力が作用し、ネット部材のこの部分が、裂断することがある。
【０００５】
本発明の目的は、ネット部材の周辺部を、十分な張力と強度をもって、できるだけ均一かつ容易に、座フレームに止着しうるようにすることにある。
【０００６】
【課題を解決するための手段】
本発明によると、上記課題は、次のようにして解決される。
（１）　周縁部に軟質材料からなる挟入片を止着したネット部材を、硬質材料からなる座フレームの上面及び外側面を覆うように被せ、前記ネット部材の周縁部を内向きに折り返すとともに、前記挾入片を反転させて、座フレームの外周部の下面に設けた周方向の保持溝内へ嵌入し、かつ前記座フレームの下側に締付枠を締め付けることにより、この締付枠をもって、前記挟入片を保持溝内へ押し入れることにより、前記ネット部材を、座フレームに張力を付与して取り付ける。
【０００７】
（２）　上記（１）項において、座フレームに装着したときの形状として製造した挾入片を、内外方向に反転させた状態でネット部材の周縁部に止着し、座フレームへの装着時に、前記挾入片を元の姿勢に戻して、保持溝内へ嵌入する。
【０００８】
（３）　上記（１）または（２）項において、ネット部材の自然状態の外周縁を、挾入片の止着部より小さく形成しておき、ネット部材を外方に引き伸ばした状態で、その外周縁を挾入片の止着部に止着する。
【０００９】
（４）　上記（１）〜（３）項のいずれかにおいて、挟入片の装着時の下端に、締付枠による押圧力を受支するとともに、抜き外しのために機能しうる水平方向の係止片を設ける。
【００１０】
（５）　上記（１）〜（４）項のいずれかにおいて、保持溝の外側方における座フレームの外周部下面と、締付枠の上面における対応個所とのいずれか一方に、周方向の挟支溝を、同じく他方に起立片を設け、締付枠を座フレームの下面に取付けた際、前記起立片が、ネット部材の周辺部を前記挟支溝内へ押入れることにより、ネット部材に、さらなる張力を付与する。
【００１１】
【発明の実施の形態】
本発明は、図１に例示するような椅子（Ａ）の座（Ｂ）もしくは背凭れ（Ｃ）を対象とするものであるが、以下、図２以下を参照して、座（Ｂ）に適用した実施の形態について説明する。
座（Ｂ）は、図２および図３に示すように、所望の閉結形状とした硬質合成樹脂材料からなる座フレーム（１）の上面および外側面に沿って、高張力プラスチックその他適宜の材料からなるネット部材（２）（多孔板を含む）の周辺部を当接した後、ネット部材（２）の周端部を内方へ折り返し、この折り返し部（２ａ）の下面に、座フレーム（１）とほぼ相似形をなす締付枠（３）を重合し、締付枠（３）の各所に穿設した通孔（４）の下方より挿入したボルト（５）を、座フレーム（１）の下面における対応個所に穿設したねじ孔（６）へ螺合することにより、ネット部材（２）の内向折り返し部（２ａ）を、締付枠（３）の下面に止着して形成されている。
【００１２】
座フレーム（１）は、厚肉剛質の外周部（７）の上面より、内方へ向かって下傾する弾性片（８）を連設し、かつ厚肉剛質の外周部（７）の下面に、内方から外方へ向かって、周方向の下向き突条（９）、上向き保持溝（１０）および上向き挟支溝（１１）を設けたものである。
【００１３】
前記ねじ孔（６）は、下向き突条（９）の下面から穿設されている。
【００１４】
保持溝（１０）および挟支溝（１１）は、上方へ向かってやや狭幅となる台形断面としておくのがよい。
【００１５】
締付枠（３）は、座フレーム（１）の外周部（７）と対応する平面形状の外周部（１２）を有し、この外周部（１２）の上面には、座フレーム（１）の外側部へ重合しうる上向保護フランジ（３ａ）が設けられ、かつ前記座フレーム（１）の下向き突条（９）および挟支溝（１１）と対応する個所には、それぞれ、それらに嵌合しうる環状の凹孔（１３）と起立片（１４）が設けられている。
【００１６】
挟支溝（１１）と起立片（１４）との間隙は、両者間に、ネット部材（２）の折り返し部（２ａ）を、挾入して締着しうるように定めてある。
【００１７】
なお、ネット部材（２）の外周縁には、座フレーム（１）の外周部（７）における保持溝（１０）の幅よりもやや狭幅で、下端に外向係止片（１５）を有し、かつ周方向に連続するか、もしくは分断された、軟質合成樹脂材料等からなる挟入片（１６）が止着されている。
【００１８】
ネット部材（２）を張設するには、まず、図６及び図７に示すように、座フレーム（１）に装着したときの形状とほぼ同一の形状として製造した挟入片（１６）を、図８に示すように、内外方向に反転させ、その状態で、自然状態の外周縁を挟入片（１６）の内面より小さく形成しておいたネット部材（２）を外方に引き伸ばして、その外周縁を挟入片（１６）の内面に、縫着、接着剤による接着、またはその他の固着手段により止着する。
【００１９】
次いで、ネット部材（２）を、座フレーム（１）の上面及び外側面を覆うように被せ、その周辺部を内向きに折り返すとともに、その外周縁に固着されている挟入片（１６）を、上記のように反転させられた状態から、元の姿勢に戻しつつ、保持溝（１０）に下方から嵌入する。
【００２０】
これにより、ネット部材（２）の外周縁は、保持溝（１０）内に抜け止め保持されるので、ついで座フレーム（１）の下面に締付枠（３）を当接し、ボルト（５）を、通孔（４）の下方から挿入して、座フレーム（１）のねじ孔（６）に螺合すれば、挟入片（１６）は締付枠（３）により押されて、挟支溝（１１）内へ進入して行く。
【００２１】
そのため、ネット部材（２）の周辺部は座フレーム（１）の下面に引張り込まれ、周方向および内外方向に均一の張力をもって、自動的に張設される。
【００２２】
さらに、この実施の形態においては、この際、締付枠（３）の上面の起立片（１４）が、ネット部材（２）の周辺部を押圧して、座フレーム（１）の挟支溝（１１）内へ押し入れるので、ネット部材（２）の張力は、より大となる。
【００２３】
なお、挟支溝（１１）を締付枠（３）側に、また起立片（１４）を座フレーム（１）側に設けてもよい。
【００２４】
【発明の効果】
各請求項に記載の発明の効果は、次の如くである。
請求項１：ネット部材の周縁部の挟入片を、座フレームの下面の保持溝内へ緩く嵌入してから、座フレームの下面に締付枠を取付ければ、ネット部材には、自動的に、一定の張力が付与される。
また、挟入片を、座フレームへの装着時に反転させて保持溝内へ嵌入するので、ネット部材の周縁部を座フレームの外周部に容易に巻き込ませることができる。
【００２５】
請求項２：挟入片を、座フレームに装着したときの形状で製造できるので、装着後に余計な内部応力が発生することがなく、耐久性を向上することができる。
【００２６】
請求項３：ネット部材を、座フレームに装着する前から予め緊張させておくことができる。
【００２７】
請求項４：締付枠を座フレームの下面に取付けた際、挟入片は締付枠により好適に押されて保持溝内へ進入し、かつ水平方向の係止片を利用して、挟入片とともにネット部材を、座フレームから取外すことができる。
【００２８】
請求項５：ネット部材に、自動的に、さらなる張力が付与される。
【図面の簡単な説明】
【図１】本発明を適用しようとする座を備える椅子を例示する側面図である。
【図２】本発明の方法を適用してネット部材を張設した椅子の座の下方斜視図である。
【図３】同じく分解して示す下方斜視図である。
【図４】同じく外側部の拡大縦断正面図である。
【図５】同じく外側部を分解して示す拡大縦断正面図である。
【図６】本発明の方法の実施に使用する挾入片の自然状態の平面図である。
【図７】図６のＶＩＩ−ＶＩＩ線に沿う縦断正面図である。
【図８】図７図示の挾入片を内外方向に反転させて、その内側にネット部材の外周縁を止着したときの、図７と同様の縦断正面図である。
【図９】図８図示の挾入片とネット部材とを、座フレームに装着するときの状況を示す縦断正面図である。
【符号の説明】
（Ａ）椅子
（Ｂ）座
（Ｃ）背凭れ
（１）座フレーム
（２）ネット部材
（２ａ）折り返し部
（３）締付枠
（３ａ）上向保護フランジ
（４）通孔
（５）ボルト
（６）ねじ孔
（７）外周部
（８）弾性片
（９）下向き突条
（１０）保持溝
（１１）挟支溝
（１２）外周部
（１３）凹孔
（１４）起立片
（１５）係止片
（１６）挟入片
【図１】
2004135818.tif 000003
【図２】
2004135818.tif 000004
【図３】
2004135818.tif 000005
【図４】
2004135818.tif 000006
【図５】
2004135818.tif 000007
【図６】
2004135818.tif 000008
【図７】
2004135818.tif 000009
【図８】
2004135818.tif 000010
【図９】
2004135818.tif 000011